(57)【要約】【課題】  ＴＤＭ移動通信システムのＴＤＭフレームを容易に検出して制御チャンネルの受信信頼度を向上させることができる装置及び方法を提供する。【解決手段】  時分割多重（ＴＤＭ）移動通信システムにおいて、順方向制御チャンネルを介してフレームを受信し、受信されたフレームに対して周期的リダンダンシー検査を遂行して第１のエラー検出ビットを出力し、受信されたフレームの受信電力を測定し、受信されたフレームのチャンネルを復号する時に第１の経路距離を計算し、第１の経路距離及び受信電力を用いて第２の経路距離を推定した後、第２の経路距離とあらかじめ決定されたしきい値を比較して第２のエラー検出ビットを出力し、第１及び第２のエラー検出ビットに基づいて、フレームの有効性を検出するためのフレーム品質ビットを生成して出力する。【選択図】  図５
2005348412.tif 000002
【特許請求の範囲】
【請求項１】
時分割多重フレームを検出する方法であって、
前記順方向制御チャンネルを介して前記フレームを受信し、前記受信されたフレームに対して周期的リダンダンシー検査を遂行して第１のエラー検出ビットを出力するステップと、
前記受信されたフレームの受信電力を測定するステップと、
前記受信されたフレームのチャンネルを復号する時に第１の経路距離を計算し、
前記第１の経路距離及び前記受信電力を用いて第２の経路距離を推定した後、前記第２の経路距離とあらかじめ決定されたしきい値を比較して第２のエラー検出ビットを出力するステップと、
前記第１及び第２のエラー検出ビットに基づいて前記フレームの有効性を検出するためのフレーム品質ビットを生成して出力するステップと
を含むことを特徴とする方法。
【請求項２】
前記第２の経路距離は、前記第１の経路距離と前記受信電力との間の差異値を用いて推定することを特徴とする請求項１記載の方法。
【請求項３】
前記第２の経路距離は、前記第１の経路距離と受信電力との間の比率関係を用いて推定することを特徴とする請求項１記載の方法。
【請求項４】
前記第１及び第２の経路距離は、最大相関値に基づいて遂行されることを特徴とする請求項１記載の方法。
【請求項５】
前記第２の経路距離が前記あらかじめ決定されたしきい値よりも大きい場合、前記第２のエラー検出ビットは、前記フレームが有効なフレームであることを指示することを特徴とする請求項４記載の方法。
【請求項６】
前記第１及び第２の経路距離は、最小ユークリッド距離に基づいて推定されることを特徴とする請求項１記載の方法。
【請求項７】
前記第２の経路距離が前記あらかじめ決定されたしきい値よりも小さい場合、前記第２のエラー検出ビットは、前記フレームが有効なフレームであることを指示することを特徴とする請求項６記載の方法。
【請求項８】
前記第２の経路距離は、下記式に従って定義されることを特徴とする請求項１記載の方法。
【数１】
2005348412.tif 000025
ここで、ＰＭ［ｋ］は、前記第１の経路距離であり、ＰＥ［ｋ］は、前記受信電力であり、ＦＱＭ［ｋ］は、前記第２の経路距離である。
【請求項９】
前記第２の経路距離は、下記式に従って定義されることを特徴とする請求項１記載の方法。
【数２】
2005348412.tif 000026
ここで、ＰＭ［ｋ］は、前記第１の経路距離であり、ＰＥ［ｋ］は、前記受信電力であり、ＦＱＭ［ｋ］は、前記第２の経路距離である。
【請求項１０】
前記第１及び第２のエラー検出ビットのうちの少なくとも１つが前記フレームのエラー発生を指示する場合、前記フレーム品質ビットは、前記フレームのエラー発生を示すことを特徴とする請求項１記載の方法。
【請求項１１】
時分割多重フレームを検出する装置であって、
前記フレームのチャンネルを復号する時、前記フレームのチャンネルを復号し、第１の経路距離を計算して出力するために、上記フレームを受信するチャンネル復号器と、
前記チャンネル復号器から出力された復号ビットに対して周期的リダンダンシー検査（ＣＲＣ）を遂行して第１のエラー検出ビットを出力するＣＲＣ検査器と、
前記フレームの受信電力を測定する受信電力測定器と、
前記第１の経路距離及び前記フレームの受信電力を用いて第２の経路距離を推定し、前記第２の経路距離をあらかじめ決定されたしきい値と比較して第２のエラー検出ビットを出力し、前記第１及び第２のエラー検出ビットに基づいて、前記フレームの有効性を検出するためのフレーム品質ビットを生成して出力するフレーム品質ビット生成部と
を具備することを特徴とする装置。
【請求項１２】
前記第１及び第２のエラー検出ビットのうちの少なくとも１つが前記フレームのエラー発生を指示する場合、前記フレーム品質ビット生成器は、前記フレームのエラー発生を指示する前記フレーム品質ビットを生成することを特徴とする請求項１１記載の装置。
【請求項１３】
前記第２の経路距離は、前記第１の経路距離と前記受信電力との間の差異値を用いて推定することを特徴とする請求項１１記載の装置。
【請求項１４】
前記第２の経路距離は、前記第１の経路距離と前記受信電力との間の比率関係を用いて推定することを特徴とする請求項１１記載の装置。
【請求項１５】
前記フレーム品質ビット生成部は、
前記第２の経路距離を推定する経路距離推定器と、
前記第２の経路距離とあらかじめ決定されたしきい値を比較して前記第２のエラー検出ビットを生成して出力する比較器と、
前記第１及び第２のエラー検出ビットに基づいて前記フレームの有効性を検出するためのフレーム品質ビットを生成して出力するフレーム品質ビット生成器と
具備することを特徴とする請求項１１記載の装置。
【請求項１６】
時分割多重フレームを検出する装置であって、
割り当てられたロングコードマスク値を用いて受信されたフレームをデパンクチャーリングしてデータ及び電力制御ビットを区分して出力するデパンクチャーリング器と、
前記データに対してチャンネル復号及び周期的リダンダンシー検査を遂行し、復号されたデータを出力するチャンネル復号器と、
前記データ及び前記電力制御ビットを用いてメトリックを計算するメトリック計算器と、
前記メトリック計算器の出力とあらかじめ決定されたしきい値を比較して出力する比較器と、
前記比較器の出力と前記周期的リダンダンシー検査の結果に基づいて、フレーム品質ビットを生成するフレーム品質ビット生成器と
を具備することを特徴とする装置。
【請求項１７】
前記順方向制御チャンネルが複数のユーザに割り当てられる場合、前記電力制御ビットは、ダミービットとして挿入された擬似電力制御ビットであることを特徴とする請求項１６記載の装置。
【請求項１８】
前記メトリック計算器は、
所定の区間の間に前記データの累積された絶対値を計算する第１の累積器と、
前記所定の区間の間に前記電力制御ビットの累積された値を計算する第２の累積器と、
所定の区間の間に前記電力制御ビットの累積された絶対値を計算する第３の累積器と、
前記第１乃至第３の累積器のうちの少なくとも２つ以上の出力値を用いてメトリックを生成するメトリック生成器と
を具備することを特徴とする請求項１６記載の装置。
【請求項１９】
ｎが前記あらかじめ決定された区間の元素である場合、前記メトリック計算器によって生成されるメトリックは、下記式に従って計算されることを特徴とする請求項１６記載の装置。
【数３】
2005348412.tif 000027
【請求項２０】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数４】
2005348412.tif 000028
【請求項２１】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数５】
2005348412.tif 000029
ここで、αは、多様な実験によって求められた定数である。
【請求項２２】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数６】
2005348412.tif 000030
【請求項２３】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数７】
2005348412.tif 000031
ここで、βは、多様な実験によって求められた定数である。
【請求項２４】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数８】
2005348412.tif 000032
【請求項２５】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数９】
2005348412.tif 000033
ここで、γは、多様な実験によって求められた定数である。
【請求項２６】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数１０】
2005348412.tif 000034
【請求項２７】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数１１】
2005348412.tif 000035
【請求項２８】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数１２】
2005348412.tif 000036
ここで、αは、多様な実験によって求められた定数である。
【請求項２９】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数１３】
2005348412.tif 000037
【請求項３０】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数１４】
2005348412.tif 000038
ここで、βは、多様な実験によって求められた定数である。
【請求項３１】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数１５】
2005348412.tif 000039
【請求項３２】
ｎが前記あらかじめ決定された区間の元素であり、ｒ[ｎ]が前記デパンクチャーリング器でデパンクチャーリングされた値を意味する場合、前記メトリック計算器によって生成されるメトリックは、下記式に従って計算されることを特徴とする請求項１６記載の装置。
【数１６】
2005348412.tif 000040
ここで、γは、多様な実験によって求められた定数である。
【請求項３３】
時分割多重フレームを検出する方法であって、
割り当てられたロングコードマスク値を用いて受信されたフレームをデパンクチャーリングしてデータ及び電力制御ビットを区分して出力するステップと、
前記データに対してチャンネル復号及び周期的リダンダンシー検査を遂行し、復号されたデータを出力するステップと、
前記データ及び前記電力制御ビットを用いてメトリックを計算するステップと、
前記計算されたメトリックとあらかじめ決定されたしきい値を比較し、前記比較の結果及び前記周期的リダンダンシー検査の結果に基づいてフレーム品質ビットを生成するステップと
を含むことを特徴とする方法。
【請求項３４】
前記順方向制御チャンネルが複数のユーザに割り当てられる場合、前記電力制御ビットは、ダミービットとして挿入された擬似電力制御ビットであることを特徴とする請求項３３記載の方法。
【発明の詳細な説明】
【技術分野】
【０００１】
本発明は、パケットデータサービスを提供する移動通信システムにおける制御チャンネルを受信する装置及び方法に関し、特に、移動通信システムにおいて、制御チャンネルを介して伝送された時分割多重（Time Division Multiplexing；ＴＤＭ）フレームを検出して制御チャンネルの受信信頼度を向上させる装置及び方法に関する。
【背景技術】
【０００２】
一般に、移動通信システムは、ユーザに音声サービスを提供する形態からデータ通信を提供する形態に発展した。このような移動通信システムは、各種データサービスだけではなく、ブロードキャストサービスを提供することができる。上記ブロードキャストサービスを提供するためには、フレーム単位の放送データをＴＤＭ方式を使用して伝送する。上記放送データが上記ＴＤＭ方式を使用して伝送されると、受信端末で最小のフレームのみを選択的に受信し、これによって、データの受信効率を向上させることができる。
【０００３】
ＣＤＭＡ方式を使用して上記ブロードキャストサービスを提供するために、３ＧＰＰ２グループでは、多様な標準化作業がなされている。３ＧＰＰ２グループで提案されたＣＤＭＡ ２０００ １ｘ Ｒｅｖ．Ｄ標準化作業によると、上記ブロードキャストサービスを“ブロードキャストマルチキャストサービス（Broadcast Multicast Service；ＢＣＭＣＳ）”と称する。上記ＣＤＭＡ ２０００ １ｘＲｅｖ．Ｄ規約は、パケットサービス及び音声サービスを同時に提供することができる１ｘＥＶ−ＤＶ（Evolution for Data & Voice）システムで使用された物理チャンネルのサイズを規定している。下記には、上記物理チャンネルのうち、ＢＣＭＣＳサービスで各ユーザに制御情報を提供する制御チャンネルである順方向専用チャンネル（Forward Dedicated Channel；Ｆ−ＤＣＣＨ）について説明する。
【０００４】
ＢＣＭＣＳサービスでは、ユニキャスト（Unicast）方式とは異なり、ブロードキャスト（Broadcast）方式の放送データ又はＰＴＴ（Push To Talk）サービスデータを１つの物理チャンネルを使用して複数のユーザに伝送するように規定されている。ここで、上記制御情報は、上記ＢＣＭＣＳサービスを提供する１ｘＥＶ−ＤＶシステムの順方向リンクでは、上記順方向専用チャンネル（Ｆ−ＤＣＣＨ）を使用して複数のユーザに制御情報を伝送する。そして、複数のユーザは、ＴＤＭ方式を使用して１つの物理チャンネルを共有し、それぞれのユーザは、ロングコードマスク（Long Code Mask）によって区分される。
【０００５】
図１は、従来の移動通信システムにおける送信器１００及び受信器２００の構成を示すブロック図である。以下、図１を参照して、１ｘＥＶ−ＤＶシステムで制御チャンネルとして使用される順方向専用チャンネル（Ｆ−ＤＣＣＨ）の基底帯域物理チャンネルの規格及び受信器２００の構成を説明する。
【０００６】
図１を参照して、ＣＲＣ挿入器１１０は、特定のユーザに制御情報として伝送される情報ビットのエラーを検査するために、情報ビットに周期的リダンダンシー検査（Cyclic Redundancy Checking；ＣＲＣ）ビットを挿入してチャンネル符号器１２０へ伝送する。チャンネル符号器１２０は、上記ＣＲＣビットが挿入された情報ビットを所定のチャンネルコーディング方式を通してスクランブラー（Scrambler）１３０へ伝送する。上記チャンネル符号化は、例えば、畳込みコーディング方式（Convolutional Coding Scheme）を用いて遂行される。
【０００７】
スクランブラー１３０は、チャンネル符号化された情報ビットの保安のために、ユーザ別に区分されるロングコードマスクスクランブリング（Long Code Mask Scrambling）を遂行して拡散器（Spreader）１４０へ伝送する。拡散器１４０は、上記チャンネル符号化された情報ビットを受信すると、ＰＮコード及びウォルシュコード（Walsh Code）を使用して上記チャンネル符号化された情報ビットを拡散した後無線網へ伝送する。従って、上記拡散された情報ビットは、フレーム単位にＦ−ＤＣＣＨを介して受信端末２００に伝送される。
【０００８】
受信器２００の逆拡散器２１０は、受信されたフレームの情報ビットをＰＮコード及びウォルシュコードを用いて逆拡散してデスクランブラー（Descreambler）２２０へ伝送する。従って、デスクランブラー２２０は、ロングコードマスクを用いて逆拡散された情報ビットをデスクランブリングしてチャンネル復号器２３０へ伝送する。上記逆拡散された情報ビットを受信すると、チャンネル復号器２３０は、上記デスクランブリングされた情報ビットを復号し、その復号ビット（Decoded bits）をＣＲＣ検査器２４０へ伝送する。ここで、畳込み符号器がチャンネル符号器１２０として使用される場合、ビタビ復号器（Viterbi Decoder）は、チャンネル復号器２３０として使用される。
【０００９】
ＣＲＣ検査器２４０は、上記復号ビットに含まれたＣＲＣビットを用いて受信されたフレームの伝送エラーをチェックし、その検査の結果、受信されたフレーム、すなわち、復号ビットの有効性を判定するエラー検出ビットを出力する。
【００１０】
上記１ｘＥＶ−ＤＶシステムでは、複数のユーザがブロードキャストサービスを支援するために制御情報である情報ビットがフレームに伝送されるＦ−ＤＣＣＨをＴＤＭ方式を使用して共有するように規定しており、それぞれのユーザは、上述したように、上記ロングコードマスクを使用して区分することができるようにする。
【００１１】
図２は、従来の移動通信システムにおけるＴＤＭ方式を使用して制御情報が伝送される制御チャンネルの構成を示す概略図である。図２に示す制御チャンネルは、上記Ｆ−ＤＣＣＨであり、複数のユーザ（ユーザ１、ユーザ２、ユーザ３）に伝送される制御情報は、フレーム単位（ＴＦ）に時分割される。また、各ユーザに割り当てられたロングコードマスクを使用して制御情報、すなわち、情報ビットを暗号化して、各ユーザに伝送される制御情報を区分する。
【００１２】
図１に示す受信器２００は、各移動端末機に割り当てられた固有なロングコードを用いて上記暗号化された情報ビットをデスクランブリングする。このとき、上記デスクランブリングされた情報ビットが受信器２００に割り当てられたＴＤＭフレームに属する場合、受信器２００のＣＲＣ検査器２４０は、符号語（Code Word）の特性に基づいてＣＲＣ結果が“Ｇｏｏｄ”であるエラー検出ビットを出力する。しかしながら、上記デスクランブリングされた情報ビットが他の受信器に割り当てられたＴＤＭフレームに属する場合は、上記ロングコードの不一致によってＣＲＣ結果が“Ｂａｄ”であるエラー検出ビットを出力する。また、受信器２００のＣＲＣ検査器２４０は、フレームの受信品質が低い場合にも、ＣＲＣ結果が“Ｂａｄ”であるエラー検出ビットを出力し、これによって、受信器２００は、受信されたフレームが自身に適したフレームであるか否かを認識することができる。
【００１３】
上述したように、各ユーザは、ロングコード及びＣＲＣを使用して制御チャンネルであるＦ−ＤＣＣＨを介して受信された各フレームが自身に適したフレームであるか否かを確認することができる。しかしながら、実際に、上記方式を使用して制御チャンネルを介して伝送されるフレームのユーザを区分する場合、上記制御チャンネルの受信信頼度を保証し難しいという問題がある。
【００１４】
すなわち、ＣＤＭＡ２０００ １ｘ Ｒｅｖ．Ｄ規格に従って、２０ｍｓの長さを有するフレームがＦ−ＤＣＣＨを介して伝送される場合、１２ビットＣＲＣを使用してフレームエラーを検出する。この場合、他のユーザに伝送されたフレームは、受信器２００でデスクランブリングされた後、相互に異なるロングコードに基づいてフレームのスクランブリング及びデスクランブリング過程が遂行されるため、符号語（Code Word）が合わず、まるで、フレームに制御信号がないような異常な特性を表すようになる。従って、他のユーザに割り当てられたフレーム又は制御情報が含まれないフレームの受信信号がチャンネル復号器２３０から任意のシーケンスの形態に出力されると仮定すると、ＣＲＣ検査自体のエラー確率（False Alarm Probability；ＦＡＲ）は、約２．４４ x １０−４ であり、これは、８２秒ごとに１回の検出エラーが周期的に発生することを意味する。
【００１５】
従って、ブロードキャストサービス又はＰＴＴサービスのようなサービスを用いる時間が比較的長い場合、上記ＣＲＣ検査のＦＡＲは、非常に高い数値であることを認識することができる。また、Ｆ−ＤＣＣＨがＬ３シグナリング信号、すなわち、制御情報を伝送するので、ユーザにブロードキャストサービスを安定して提供するためには、Ｆ−ＤＣＣＨの伝送信号に対してさらに高い受信信頼度を保証する必要がある。従って、ブロードキャストサービスでエラー量を低減させるための装置及び方法に対する必要性が要求された。
【発明の開示】
【発明が解決しようとする課題】
【００１６】
上記背景に鑑みて、本発明の目的は、各ユーザに割り当てられ、複数のユーザが制御チャンネルを共有するＴＤＭ移動通信システムの制御チャンネルを介して伝送されるＴＤＭフレームを容易に検出して制御チャンネルの受信信頼度を向上させることができる装置及び方法を提供することにある。
【課題を解決するための手段】
【００１７】
このような目的を達成するために、本発明の１つの特徴によれば、時分割多重フレームを検出する方法は、上記順方向制御チャンネルを介して上記フレームを受信し、上記受信されたフレームに対して周期的リダンダンシー検査を遂行して第１のエラー検出ビットを出力するステップと、上記受信されたフレームの受信電力を測定するステップと、上記受信されたフレームのチャンネルを復号する時に第１の経路距離を計算し、上記第１の経路距離及び上記受信電力を用いて第２の経路距離を推定した後、上記第２の経路距離とあらかじめ決定されたしきい値を比較して第２のエラー検出ビットを出力するステップと、上記第１及び第２のエラー検出ビットに基づいて上記フレームの有効性を検出するためのフレーム品質ビットを生成して出力するステップとを含むことを特徴とする。
【００１８】
本発明の他の特徴によれば、時分割多重フレームを検出する装置は、上記フレームのチャンネルを復号する時、上記フレームのチャンネルを復号し、第１の経路距離を計算して出力するために、上記フレームを受信するチャンネル復号器と、上記チャンネル復号器から出力された復号ビットに対して周期的リダンダンシー検査（ＣＲＣ）を遂行して第１のエラー検出ビットを出力するＣＲＣ検査器と、上記フレームの受信電力を測定する受信電力測定器と、上記第１の経路距離及び上記フレームの受信電力を用いて第２の経路距離を推定し、上記第２の経路距離をあらかじめ決定されたしきい値と比較して第２のエラー検出ビットを出力し、上記第１及び第２のエラー検出ビットに基づいて、上記フレームの有効性を検出するためのフレーム品質ビットを生成して出力するフレーム品質ビット生成部とを具備することを特徴とする。
【００１９】
本発明のまた他の特徴によれば、時分割多重フレームを検出する方法は、割り当てられたロングコードマスク値を用いて受信されたフレームをデパンクチャーリングしてデータ及び電力制御ビットを区分して出力するステップと、上記データに対してチャンネル復号及び周期的リダンダンシー検査を遂行し、復号されたデータを出力するステップと、上記データ及び上記電力制御ビットを用いてメトリックを計算するステップと、上記計算されたメトリックとあらかじめ決定されたしきい値を比較し、上記比較の結果及び上記周期的リダンダンシー検査の結果に基づいてフレーム品質ビットを生成するステップとを含むことを特徴とする。
【００２０】
本発明のさらなる特徴によれば、時分割多重フレームを検出する装置は、割り当てられたロングコードマスク値を用いて受信されたフレームをデパンクチャーリングしてデータ及び電力制御ビットを区分して出力するデパンクチャーリング器と、上記データに対してチャンネル復号及び周期的リダンダンシー検査を遂行し、復号されたデータを出力するチャンネル復号器と、上記データ及び上記電力制御ビットを用いてメトリックを計算するメトリック計算器と、上記メトリック計算器の出力とあらかじめ決定されたしきい値を比較して出力する比較器と、上記比較器の出力と上記周期的リダンダンシー検査の結果に基づいて、フレーム品質ビットを生成するフレーム品質ビット生成器とを具備することを特徴とする。
【発明の効果】
【００２１】
本発明の実施形態によれば、移動通信システムにおいて、移動端末機は、Ｆ−ＤＣＣＨを介してＴＤＭチャンネルが伝送される場合、上記フレームの有効及び無効状態を正確に判断することができる。従って、ブロードキャストサービスのように、長い時間区間の間サービスを受信しなければならない場合に、サービス品質を向上させることができる。また、基地局のセルスループットを向上させることができる、という利点がある。
【発明を実施するための最良の形態】
【００２２】
以下、本発明の好適な実施形態について添付図を参照しつつ詳細に説明する。下記説明において、本発明の要旨のみを明瞭するために公知の機能又は構成に対する詳細な説明は省略する。
［第１実施形態］
【００２３】
本発明の第１実施形態では、ユーザ別に情報ビットを構成するＴＤＭフレームの伝送エラーを検出する場合、ＴＤＭフレームの受信電力及び第１の経路距離（Path Metric）を考慮して第２の経路距離を推定する。そして、第２の経路距離と所定の経路距離のしきい値を比較して受信されたフレームの有効性を判断する。
【００２４】
そして、本発明の第１実施形態では、第１のエラー検出ビットは、チャンネル復号された受信フレームのＣＲＣ検査の結果に基づいて得られ、第２のエラー検出ビットは、前記第２の経路距離を用いて判断された受信フレームの有効性に基づいて得られる。上記第１及び第２のエラー検出ビットが有効である場合、制御チャンネルを介してフレームが正常に受信されたものと判断する。
【００２５】
本発明の第１の実施形態を説明する前に、本発明の理解を助けるために、フレームに対する受信電力を用いてフレームの受信エラーを検出する方式及びフレームの経路距離を用いてフレームの受信エラーを検出する方式について説明する。
【００２６】
図３Ａは、移動通信システムにおいて、ＴＤＭフレームの受信電力に基づいてフレームの受信エラーを判定する方法を説明するためのグラフである。図３Ａに示す点線は、ユーザに伝送される制御情報が含まれた第１のフレーム３１０及び第２のフレーム３２０を示し、図３Ａに示す実線は、制御情報が含まれない第３のフレーム３３０を示す。ここで、第１のフレーム３１０は、特定のユーザに伝送される制御情報を有することを要望されたフレームであり、第２のフレーム３２０は、他のユーザに伝送される制御情報を有することを要望されていないフレームであり、第３のフレーム３３０は、エンプティーフレームである。
【００２７】
図３Ａは、第１のフレーム３１０、第２のフレーム３２０、及び第３のフレーム３３０のそれぞれの受信電力に応じた確率密度関数（Probability Density Function；ＰＤＦ）を示す。しかしながら、上記フレームの受信エラーが上記フレームの受信電力のみに基づいて判断されると、第１のフレーム３１０の受信電力が第２のフレーム３２０の受信電力と類似している場合、第１のフレーム３１０を第２のフレーム３２０と区分することが難しい。
【００２８】
図３Ｂは、移動通信システムにおいて、ＴＤＭフレームの経路距離に基づいてフレームの受信エラーを判定する方法を説明するためのグラフである。図３Ｂは、第１のフレーム３１０、第２のフレーム３２０、及び第３のフレーム３３０のそれぞれの経路距離に従うＰＤＦを示す。
【００２９】
上記経路距離は、受信されたビット列と符号語（Code Word）との間の相関値のうち、最大相関値（Maximum Correlation Value）を用いて得られるか、又は、受信されたビット列と符号語との間の最小ユークリッド距離（Euclidean Distance）又は最小ユークリッド距離の自乗を用いて得られる。図３Ｂの場合、上記経路距離で上記最大相関値を用いる例を示す。
【００３０】
上記経路距離は、受信器２００のチャンネル復号器として使用されるビタビ（Viterbi）復号器の出力に基づいて求められる。すなわち、上記ビタビ復号器の出力から求められる経路距離の確率密度関数（ＰＤＦ）に従って、他のユーザの第２のフレーム３２０が受信器２００で受信される場合、フレーム信号は、相互に異なるロングコードに基づいて受信器２００でデスクランブリングされ、これにより、ビタビ復号器の入力信号は、符号語とマッチングしない。従って、第２のフレーム３２０は、制御情報が含まれない第３のフレーム３３０と類似した特性を有するようになり、その結果、上記第２のフレーム３２０を第１のフレーム３１０と区分することができる。
【００３１】
しかしながら、図４に示すように、移動通信システムにおいて、第１のフレーム３１０、第２のフレーム３２０、及び第３のフレーム３３０のそれぞれは、ＴＤＭ方式を使用して所定の受信器へ電力制御されて伝送されるので、フレーム当たりの受信器の受信電力は大きく変動する。従って、図３Ｂに示すように、他のユーザに伝送される第２のフレーム３２０の経路距離も変動して、上記フレームの経路距離が使用される場合にのみ、それぞれのフレーム３１０、３２０、３３０を区分することが難しい。
【００３２】
上述したように、フレームの受信電力を使用するフレームエラー検出方式又はフレームの経路距離を使用するフレームエラー検出方式は、安定した結果を提供することができない。従って、上記の方法がＣＲＣ検査が遂行された後にフレーム信頼度検査に適用される場合に問題が発生することを分かる。このような問題を解決するために、本発明の第１の実施形態では、フレームの受信電力及びフレームの経路距離は、フレームの受信エラーを検出するのに同時に使用される。また、上記第１の経路距離と受信電力との比率的関係に基づいて、第１の経路距離と受信電力とを考慮して第２の経路距離を推定するために、特性式を提案する。その特性式から求められた第２の経路距離と所定の経路距離のしきい値を比較して、受信フレームの有効性を判断する。そして、上記フレームエラー検出方式は、ＣＲＣ検査と共に遂行され、これにより、フレームエラー検出の信頼性を向上させる。
【００３３】
図５は、本発明の第１の実施形態による移動通信システムにおける受信器のＴＤＭフレーム検出装置の内部構成を示すブロック図である。図５に示す受信装置は、例えば、複数のユーザがＴＤＭ方式を使用して制御チャンネルを共有することができる方式にて、順方向専用制御チャンネル（Ｆ−ＤＣＣＨ）を制御チャンネルとして使用し、上記制御チャンネルを介して受信されたフレームの有効性を本発明の実施形態によるフレームエラー検出方式に基づいて判断する。
【００３４】
図５において、チャンネル復号器５１０は、無線チャンネルを介して受信されたフレームのビット列、すなわち、入力信号（Ｙ［ｎ］；ｎ＝１、２、．．．、Ｎ、ここで、Ｎは、フレーム区間内のシンボル数である。）を復号し、その復号ビット（Decoded bits）をＣＲＣ検査器５２０へ伝送する。チャンネル復号器５１０は、送信器のチャンネル符号器として畳込み符号器を使用する場合、ビタビ復号器をチャンネル復号器５１０として使用する。ＣＲＣ検査器５２０は、上記復号ビットに含まれたＣＲＣビットを用いてフレームの受信エラーを検査し、その検査の結果、第１のエラー検出ビット（ｅ１）を出力する。
【００３５】
チャンネル復号器５１０は、第１の経路距離を求めるための所定の符号語セット（Code Word Set）を有する。そして、上記受信フレームのビット列と上記符号語セットとの間の最大相関値を求めて、第１の経路距離（ＰＭ［ｋ］）を出力する。また、チャンネル復号器５１０は、上記受信フレームのビット列と上記符号語セットとの間の最小ユークリッド距離又は最小ユークリッド距離の自乗を推定し、第１の経路距離（ＰＭ［ｋ］）を出力する。ここで、チャンネル復号器５１０は、上記符号語の最大相関値が存在すると、上記符号語を復号ビットとして出力する。
【００３６】
また、図５に示す受信電力測定器５３０は、入力信号（Ｙ［ｎ］）から該当フレームの受信電力（ＰＥ［ｋ］）を測定して経路距離推定器５４０へ伝送する。以下、図６を参照して、受信電力測定器５３０の構成及び動作について詳細に説明する。
【００３７】
図６は、図５に示した受信電力測定器５３０の内部構成を示すブロック図である。図６に示すように、受信電力測定器５３０は、入力信号Ｙ［ｎ］の絶対値に対してｍ乗を取る演算５３１
【数１】
2005348412.tif 000003
を遂行し、１フレームの区間５３３及び５３５の間にその値を累積する。その後、受信電力測定器５３０は、その累積された値を該当フレームの受信電力（ＰＥ［ｋ］）として出力する。ここで、ｎは、シンボルインデックスであり、ｋは、フレームインデックスである。また、上記ｍの次数は、基本的に“１”である。この場合、チャンネル復号器５１０から出力された第１の経路距離（ＰＭ［ｋ］）は、入力信号Ｙ［ｎ］の線形的結合で表現されることができる。
【００３８】
図５に示した経路距離推定器５４０は、チャンネル復号器５１０から計算された第１の経路距離（ＰＭ［ｋ］）と上記受信電力測定器から計算された受信電力（ＰＥ［ｋ］）との間の比率的関係を用いて、受信フレームの有効性を判断するための第２の経路距離（ＦＱＭ［ｋ］）を推定する。第２の経路距離（ＦＱＭ［ｋ］）は、経路距離を求めるのに使用されるアルゴリズムに基づいて、下記のような２つの方式を通して推定されることができる。また、本発明の第１の実施形態では、上記比率的関係を定義するための２つの特性式を提案し、上記特性式については、下記に詳細に説明する。
【００３９】
従って、第２の経路距離（ＦＱＭ［ｋ］）は、経路距離を求めるアルゴリズムの個数×特性式の個数だけの多様なパターンで求められることができることに留意しなければならない。上述したように、本発明の第１の実施形態によると、経路距離を求めるためのアルゴリズムは、上記受信フレームのビット列と符号語との間の最大相関値及び最小ユークリッド距離、又は最小ユークリッド距離の自乗を用いることができる。以下、上記第２の経路距離（ＦＱＭ［ｋ］）を推定する基本原理について説明する。
【００４０】
まず、第１の経路距離（ＰＭ［ｋ］）を最大相関値を用いて推定する場合、受信器が自身に割り当てられたフレームを復号すると、比較的大きい経路距離が求められる。一方、制御情報がない雑音成分のみを有するフレームを復号すると、比較的小さい経路距離が求められる。そして、上記受信器が他のユーザに割り当てられたフレームを復号すると、比較的小さい経路距離が求められる。このとき、上記経路距離は、フレームの受信電力に比例する。
【００４１】
従って、自身に割り当てられたフレームは、上記フレームの受信電力に比べて比較的大きい経路距離を有し、他のユーザに割り当てられたフレームは、上記フレームの受信電力に比べて比較的小さい経路距離を有することができる。その結果、上記フレームの経路距離間の比率的関係に基づいて第２の経路距離（ＦＱＭ［ｋ］）を推定する。
【００４２】
二番目に、第１の経路距離（ＰＭ［ｋ］）が最小ユークリッド距離又は最小ユークリッド距離の自乗を用いて推定される場合、上記受信器は、自身に割り当てられたフレームを復号すると、比較的小さい経路距離が求められる。一方、上記受信器が制御情報がない雑音成分のみを有するフレームを復号すると、比較的大きい経路距離が求められる。そして、上記受信器が他のユーザに割り当てられたフレームを復号すると、比較的大きい経路距離が求められる。このとき、上記経路距離は、上記フレームの受信電力に反比例する。
【００４３】
従って、上記受信器に割り当てられたフレームは、その受信電力に比べて比較的小さい経路距離を有し、他の受信器に割り当てられたフレームは、その受信電力に比べて大きい経路距離を有することができる。その結果、上記フレームの経路距離間の比率的関係に基づいて第２の経路距離（ＦＱＭ［ｋ］）を推定する。
【００４４】
一方、上記最大相関値を出力することができるチャンネル復号器としてビタビ復号器を使用する場合、第１の経路距離（ＰＭ［ｋ］）と受信電力（ＰＥ［ｋ］）との間の比率的関係を定義する特性式は、下記式（１）及び式（２）で示される。図５に示した経路距離推定器５４０は、下記式（１）及び式（２）のうちの１つの特性式に基づいて動作することができる。
【００４５】
【数２】
2005348412.tif 000004
【００４６】
式（１）によると、チャンネル復号器５１０から出力された第１の経路距離（ＰＭ［ｋ］）対受信電力測定器５３０から出力された受信電力（ＰＥ［ｋ］）の比を第２の経路距離（ＦＱＭ［ｋ］）として推定する。
【００４７】
【数３】
2005348412.tif 000005
【００４８】
そして、式（２）によると、第１の経路距離（ＰＭ［ｋ］）と加重値αが乗じられた受信電力（ＰＥ［ｋ］）との間の差異値を第２の経路距離（ＦＱＭ［ｋ］）として推定する。すなわち、上記受信器に割り当てられたフレームは、加重値αに基づいて他のユーザに割り当てられたフレームと区分されることができる。本発明の実施形態に従ってユーザによって遂行された実験結果によると、上記加重値αが約０．０６の値を有する場合、上記フレームを効率的に区分することができる。しかしながら、上記加重値αは、移動通信システムの種類又は通信環境の変化を考慮して適切に変更されることができる。
【００４９】
一方、式（１）を通して得られた第２の経路距離（ＦＱＭ［ｋ］）は、式（２）を通して得られたものに比べて、受信器のフェージングチャンネル又は位置に敏感に反応しない。そして、式（２）を通して得られた第２の経路距離（ＦＱＭ［ｋ］）は、式（１）を通して得られたものに比べて、フレームの区分性能がさらに優れることを示す。従って、通信環境を考慮して第２の経路距離（ＦＱＭ［ｋ］）を適切に推定する必要がある。
【００５０】
そして、上記方式を通して推定された第２の経路距離（ＦＱＭ［ｋ］）は、比較器５５０へ伝送される。従って、比較器５５０は、第２の経路距離（ＦＱＭ［ｋ］）と所定の経路距離のしきい値を比較して、上記受信フレームの有効性を判断する第２のエラー検出ビット（ｅ２）を出力する。
【００５１】
ここで、比較器５５０は、最大相関値を用いて第１の経路距離を推定した場合、上記第２の経路距離が上記経路距離のしきい値よりも大きいと、上記受信フレームが有効なフレームであることを示す第２のエラー検出ビット（ｅ２）を出力する。一方、比較器５５０は、第２の経路距離が上記経路距離のしきい値よりも小さいと、上記受信フレームがエラーを有することを示す第２のエラー検出ビット（ｅ２）を出力する。
【００５２】
また、チャンネル復号器５１０が最小ユークリッド距離又は最小ユークリッド距離の自乗を用いて第１の経路距離を推定する場合、図５に示した経路距離推定器５４０に適用される式（１）及び式（２）は、下記式（３）及び式（４）に変更される。
【００５３】
【数４】
2005348412.tif 000006
【００５４】
【数５】
2005348412.tif 000007
【００５５】
そして、式（４）に示す加重値βは、多様な実験を通して求められることができる。ここで、比較器５５０は、上記第２の経路距離が上記経路距離のしきい値よりも小さい場合、上記受信フレームが有効なフレームであることを示す第２のエラー検出ビット（ｅ２）を出力する。一方、比較器５５０は、上記第２の経路距離が上記経路距離のしきい値よりも大きい場合、上記受信フレームがエラーを有することを示す第２のエラー検出ビット（ｅ２）を出力する。
【００５６】
また、式（３）及び式（４）を用いて第２の経路距離を求める式は、下記式（５）及び式（６）でも可能である。この場合、比較器５５０は、上記第２の経路距離が上記経路距離のしきい値よりも大きいと、上記受信フレームが有効なフレームであることを示す第２のエラー検出ビット（ｅ２）を出力する。一方、比較器５５０は、上記第２の経路距離が上記経路距離のしきい値よりも小さいと、上記受信フレームがエラーを有することを示す第２のエラー検出ビット（ｅ２）を出力する。
【００５７】
【数６】
2005348412.tif 000008
【００５８】
【数７】
2005348412.tif 000009
【００５９】
式（６）において、加重値γは、多様な実験を通して得られることができる。また、図５に示したフレーム品質ビット生成器５６０は、ＣＲＣ検査器５２０から出力された第１のエラー検出ビット（ｅ１）及び比較器５５０から出力された第２のエラー検出ビット（ｅ２）をそれぞれ受信した後、上記受信フレームの有効性を最終的に判定するのに使用される所定のフレーム品質ビットを出力する。フレーム品質ビット生成器５６０は、第１及び第２のエラー検出ビット（ｅ１及びｅ２）のすべてが上記受信フレームが有効なフレームであることを示す場合にのみ、上記受信フレームを有効なフレームとして判断する。一方、フレーム品質ビット生成器５６０は、上記受信フレームにエラーがあることを示すフレーム品質ビットを生成する。
【００６０】
一方、まず、ＣＲＣ検査器５２０の第１のエラー検出ビット（ｅ１）がフレーム品質ビット生成器５６０へ出力され、上記受信フレームにエラーがあることを示す場合、第２のエラー検出ビット（ｅ２）を出力する手順が省略されるように図５の装置を構成することも望ましい。この場合、図５には図示していないが、フレーム品質ビット生成器５６０又は別途の制御手段は、第１のエラー検出ビット（ｅ１）の結果に基づいて、チャンネル復号器５１０及び受信電力測定器５３０を制御して、第２のエラー検出ビット（ｅ２）が選択的に出力されるようにすることも望ましい。
【００６１】
本発明の実施形態は、上記ＣＲＣ検査を遂行した後に、フレームの経路距離及び受信電力を考慮して、フレームの受信エラーを判断し、これによって、フレームエラー検出に対する信頼性を向上させる。また、上記ＴＤＭフレーム検出方式は、順方向専用チャンネル（Ｆ−ＤＣＣＨ）に適用されることができるだけではなく、１つの物理チャンネルを使用してＴＤＭ方式にて複数のユーザにデータを伝送する物理チャンネルに対しても適用されることができる。
【００６２】
図７は、本発明の第１の実施形態による移動通信システムにおけるＴＤＭフレームを検出する手順を示すフローチャートである。
【００６３】
図７を参照すると、ステップ７０１で、チャンネル復号器５１０は、上記受信フレームを復号し、その復号ビットをＣＲＣ検査器５２０へ伝送する。ＣＲＣ検査器５２０は、その復号ビットのフレームに含まれたＣＲＣビットを抽出して検査し、上記受信フレームの有効性を判定する第１のエラー検出ビット（ｅ１）をフレーム品質ビット生成器５８０へ出力する。
【００６４】
すると、ステップ７０３で、フレーム品質ビット生成器５８０は、上記第１のエラー検出ビットを読み取って、上記受信フレームが有効なフレームであるか、又は、エラーが発生した無効フレームであるかを検査する。上記検査の結果、ステップ７０３で、上記受信フレームが無効フレームであると判定される場合、ステップ７０５で、チャンネル復号器５１０から出力された該当フレームの復号ビットが無効ビットとして判定され、その結果は、上位端末機（図示せず）へ伝送される。
【００６５】
一方、ステップ７０３で、上記受信フレームが有効なフレームであると判断される場合、フレーム品質ビット生成器５６０は、比較器５５０から出力された第２のエラー検出ビット（ｅ２）を待機する。また、ステップ７０７で、受信電力測定器５３０は、上記フレームのビット列、すなわち、入力信号（Ｙ［ｎ］）の絶対値に対して、ｍ乗を取る演算を遂行して１フレームの区間の間に累積し、これによって、該当フレームの受信電力（ＰＥ［ｋ］）を求めた後、経路距離推定器５４０へ伝送する。
【００６６】
これと同時に、チャンネル復号器５１０は、上記受信フレームのビット列と符号語との間の最大相関値、又は最小ユークリッド距離又は最小ユークリッド距離の自乗を使用して第１の経路距離（ＰＭ［ｋ］）を経路距離推定器５４０へ伝送する。従って、ステップ７０９で、経路距離推定器５４０は、チャンネル復号器５１０から出力された第１の経路距離（ＰＭ［ｋ］）と受信電力測定器５３０から出力された受信電力（ＰＭ［ｋ］）との間の比率的関係を定義する式（１）及び式（２）のうちの１つを使用して第２の経路距離（ＦＱＭ［ｋ］）を推定した後、比較器５５０へ伝送する。
【００６７】
この後、ステップ７１１で、比較器５５０は、経路距離推定器５４０から出力された第２の経路距離（ＦＱＭ［ｋ］）と所定の経路距離のしきい値を比較して、上記第２の経路距離（ＦＱＭ［ｋ］）が所定の範囲内にあるか、すなわち、上記受信フレームが有効なフレームであるかを判定する第２のエラー検出ビット（ｅ２）を出力する。このとき、比較器５５０は、上述したような最大相関値、最小ユークリッド距離、又は最小ユークリッド距離の自乗方式のような第１の経路距離を推定するのに使用されるファクター（factor）に従う多様な方式を使用して、上記第２の経路距離（ＦＱＭ［ｋ］）を上記所定の経路距離のしきい値と比較することができる。
【００６８】
すなわち、上記第１の経路距離が上記最大相関値に従って推定された後に、比較器５５０が上記第２の経路距離（ＦＱＭ［ｋ］）を上記所定の経路距離のしきい値と比較すると、比較器５５０は、式（１）又は式（２）の第２の経路距離（ＦＱＭ［ｋ］）が上記経路距離のしきい値よりも大きい場合、上記受信フレームを有効なフレームとして判断する。これとは異なり、上記第１の経路距離が最小ユークリッド距離方式又は最小ユークリッド距離の自乗方式に従って推定された後に、上記第２の経路距離（ＦＱＭ［ｋ］）を上記所定の経路距離のしきい値と比較すると、比較器５５０は、式（３）又は式（４）の上記第２の経路距離（ＦＱＭ［ｋ］）が上記経路距離のしきい値よりも小さい場合、上記受信フレームを有効なフレームとして判断する。また、比較器５５０は、式（５）又は式（６）の第２の経路距離（ＦＱＭ［ｋ］）が上記経路距離のしきい値よりも大きい場合、上記受信フレームを有効なフレームとして判断する。
【００６９】
一方、式（１）乃至式（６）の逆数を使用して第２の経路距離を求める場合、比較器５５０は、上記受信フレームの第２の経路距離と上記経路距離のしきい値を比較して上述した方式とは逆に上記有効なフレームを判断する。例えば、式（２）の逆数を使用して第２の経路距離を推定する場合、比較器５５０は、式（２）の第２の経路距離が上記経路距離のしきい値よりも小さいと、上記受信フレームを有効なフレームとして判断する。
【００７０】
すると、図５に示したフレーム品質ビット生成器５６０は、ＣＲＣ検査器５２０から出力された第１のエラー検出ビット（ｅ１）及び比較器５５０から出力された第２のエラー検出ビット（ｅ２）をそれぞれ受信した後、ステップ７１３で、上記第１及び第２のエラー検出ビット（ｅ１及びｅ２）が上記受信フレームが有効なフレームであることを示すと、上記受信フレーム、すなわち、チャンネル復号器の出力の有効性を判定するのに使用されるフレーム品質ビットを出力して上位端末機へ伝送する。
【００７１】
一方、ステップ７１１で、上記第２の経路距離（ＦＱＭ［ｋ］）がエラー範囲内にあると判断されると、上記フレームのエラーを示す第２のエラー検出ビット（ｅ２）がフレーム品質ビット生成器５６０へ伝送される。従って、フレーム品質ビット生成器５６０は、上記受信フレーム、すなわち、チャンネル復号器の出力が無効であることを示すフレーム品質ビットを出力して上位端末機へ伝送する。
【００７２】
以下、図８乃至図１０を参照して、本発明の第１の実施形態による制御チャンネルでＴＤＭフレーム検出方法の性能実験の結果を説明する。
【００７３】
図８乃至図１０の実験結果は、上記最大相関値に基づいて上記経路距離を推定して得られる。図８乃至図１０において、ユーザに割り当てられた第１のフレームは、参照文字（Ａ）及び（Ｆ）で示される。また、他のユーザに割り当てられた第２のフレームは、参照文字（Ｃ）〜（Ｆ）乃至（Ｈ）〜（Ｊ）で示され、制御情報が含まれない第３のフレームは、参照文字（Ｂ）及び（Ｇ）で示される。そして、図８乃至図１０の（ａ）及び（ｂ）は、それぞれの移動端末機の位置がＩｏｒ／Ｉｏｃ＝０ｄＢである地点（ａ）及びＩｏｒ／Ｉｏｃ＝８ｄＢに移動した地点（ｂ）でチャンネル復号器から出力された経路距離のＰＤＦをそれぞれ示す。
【００７４】
まず、図８は、上記経路距離を使用する場合にのみ従来のＴＤＭフレーム検出方法の性能実験の結果を示すグラフである。図８を参照すると、移動端末機が電力制御状態にあるので、他のユーザに割り当てられた第２のフレームＣ乃至Ｅ及びＨ乃至Ｊに対する経路距離値が自身に割り当てられた第１のフレームＡ及びＦに対する経路距離値と正確に区分されることができない。
【００７５】
図９は、本発明の第１実施形態によるＴＤＭフレーム検出方法の性能実験の結果を示すグラフであって、これは、式（１）を用いて第２の経路距離を推定した結果を示す。図９を参照すると、他のユーザに割り当てられた第２のフレームＣ乃至Ｅ及びＨ乃至Ｊは、制御情報が含まれない第３のフレームＢ及びＧよりも小さい経路距離を有するので、フレーム検出性能が非常に向上することができる。また、移動端末機の位置に関係無しで、フレームの区分が可能であるので、ＣＲＣ結果が“Ｇｏｏｄ”である状態で、エラーが発生する比率であるＦＡＲを十分に減少させることができる。
【００７６】
図１０は、本発明の他の実施形態によるＴＤＭフレーム検出方法の性能実験の結果を示すグラフであって、これは、式（２）を用いて第２の経路距離を推定した結果を示す。図１０を参照すると、他のユーザに割り当てられた第２のフレームＣ乃至Ｅ及びＨ乃至Ｊは、制御情報が含まれない第３のフレームＢ及びＧと類似して小さい経路距離を有するので、フレーム検出性能が非常に向上することができる。移動端末機の位置に多少影響を受けるが、フレームを容易に区分することができる。従って、ＦＡＲを十分に減少させることができる。
【００７７】
そして、図９及び図１０の性能比較を通して、移動端末機の位置変化があると、式（２）を通して得られた第２の経路距離よりも式（１）を通して得られた第２の経路距離を使用することが有利であることを分かる。また、第１のフレームと第３のフレームとの区分性能を向上させることができるので、移動端末機の位置が決定された場合には、式（１）を通して得られた第２の経路距離よりも式（２）を通して得られた第２の経路距離を使用することが有利である。
【００７８】
上述したように、本発明の第１の実施形態によると、ブロードキャストサービスを提供する移動通信システムにおいて、ユーザ別に割り当てられ、制御チャンネルを介して伝送されるＴＤＭフレームを容易に検出することによって、制御チャンネルの受信信頼度を向上させることができる。
【００７９】
また、本発明の第１の実施形態によると、ユーザ別に制御チャンネルを介して伝送されるＴＤＭフレームを移動端末機の位置変化に関係なく安定して検出し、移動端末機でフレームを安定して受信することができる。従って、上記制御情報の不必要な変更及び再伝送要請を防止し、これによって、システム資源を節約し、セル処理量（cell throughput）を向上させることができる。
［第２の実施形態］
【００８０】
本発明の第２の実施形態によると、２つの方式を同時に遂行することによってＦＡＲを低減させることができる。
【００８１】
本発明の第２の実施形態では、移動端末機で受信されたフレームのエラーを検出するために、ＣＲＣ検査方法をそのまま使用する。また、ブロードキャストサービスのために共通使用される順方向専用制御チャンネル（Ｆ−ＤＣＣＨ）の電力制御ビット（ＰＣＢ）の位置は、各移動端末機に割り当てられたロングコードマスクに従ってランダムに決定され、上記位置から伝送された電力制御ビットの値は、１つのフレームの間に同一であることができる。すなわち、特定の移動端末機に伝送されたフレームの場合、１つのフレームの間に上記電力制御ビットが同一の値を有するので、上記電力制御ビットの値を累積することによって非常に大きい累積値を得ることができる。しかしながら、他の移動端末機へ伝送されたフレームの場合、上記データ及び電力制御ビットに関係無しで、受信器２００のロングコードに従って決定された任意の位置で累積が遂行されるので、上記累積値は、“０”又は“０”に近い非常に小さい値を有する。また、制御信号が含まれないフレームの場合、雑音信号のみを累積するので、上記フレームは、非常に低い累積値を有する。
【００８２】
従って、本発明の実施形態は、ＣＲＣ検査の結果及び上記電力制御ビットの値を用いて、Ｆ−ＤＣＣＨを介してチャンネルが正確に受信されたか否かを判断する方法を提供する。
【００８３】
図１１は、本発明の第２実施形態による専用制御チャンネル（ＤＣＣＨ）受信器の内部構成を示すブロック図である。以下、図１１を参照して、本発明の第２の実施形態による専用制御チャンネル（ＤＣＣＨ）受信器の構成及び動作について詳細に説明する。
【００８４】
図１１に示すデパンクチャーリング器８０１は、送信器１００から逆拡散されたシンボル列ｒ[ｎ]を受信し、上記移動端末機に割り当てられたロングコードマスク値を用いてデパンクチャーリングを遂行する。本発明の実施形態によるデパンクチャーリング器８０１は、デパンクチャーリングされたシンボルのデータシンボル列を２つに分岐し、そのうちの１つは、デスクランブラー２２０に接続され、他の１つは、第１の絶対値計算器８０２に接続される。また、デパンクチャーリング器８０１は、上記電力制御ビットをデータと分離して出力する。ここで、上記電力制御ビットの値は、上記電力制御ビットの実際値ではなく、上記送信器に含まれたダミービットの値である。別途の電力制御チャンネルＣＰＣＣＨが上記ダミービットに割り当てられ、これによって、共通に使用されるＦ−ＤＣＣＨを介して上記ダミービットに電力制御ビットが伝送されない。移動通信システムで伝送されたデータの形式を保持するためには、ダミービットを挿入し、上記ダミービットは、１つのフレームの間に同一の値を有する。
【００８５】
従って、上記電力制御ビットが実際の電力制御ビットではないので、下記の説明では、“擬似電力制御ビット（pseudo power control bit）”と称する。デパンクチャーリング器８０１から出力された擬似電力制御ビットも２つに分岐され、そのうちの１つは、第２の累積器８０５に入力され、残りの他の１つは、第２の絶対値計算器８０３に入力される。
【００８６】
以下、上記データが進行する経路について説明する。
【００８７】
デパンクチャーリング器８０１から出力された２つの分岐されたデータのうちの１つのデータは、デスクランブラー２２０に入力される。デスクランブラー２２０は、ブロードキャストサービスのために、複数の移動端末機に個々に又は共通に割り当てられたロングコードマスクを用いて、上記データをデスクランブリングする。このようにデスクランブリングされたデータは、デインターリーバ２２５へ入力される。デインターリーバ２２５は、制御情報を伝送するとき、バーストエラーを防止するために、制御情報をデインターリービングして出力する。デインターリーバ２２５から出力されたデータは、チャンネル復号器２３０に入力され、これによって、上記データに対してチャンネル復号が遂行される。チャンネル復号器２３０は、ビタビ復号器を構成する。上記チャンネル復号された情報は、ＣＲＣ検査器２４０に入力され、これによって、上記情報が上記チャンネルを介して伝送される間にエラーが発生するか否かを検査するために、上記チャンネル復号された情報のＣＲＣビットがＣＲＣ検査器２４０で検査される。また、ＣＲＣ検査器２４０は、その結果及び復号された結果値を出力する。上記のように、エラー検査器２４０から出力された情報は、フレーム品質ビット生成器８１１へ入力される。
【００８８】
また、デパンクチャーリング器８０１から出力されて２つに分岐されたデータのうちの残りの１つは、第１の絶対値計算器８０２に入力される。第１の絶対値計算器８０２は、上記データの絶対値を計算して第１の累積器８０４へ伝送する。第１の累積器８０４は、１つのフレームの間に上記データの絶対値を累積し、本発明に従うメトリック生成器８０７へ伝送する。メトリック生成器８０７は、下記でさらに詳細に説明する。
【００８９】
また、デパンクチャーリング器８０１から出力された擬似電力制御ビットは、２つに分岐され、そのうちの１つは、第２の累積器８０５へ入力される。第２の累積器８０５は、１つのフレームの間に上記擬似電力制御ビットの値を累積して、メトリック生成器８０７へ伝送する。そして、残りの１つは、第２の絶対値計算器８０３に入力される。従って、第２の絶対値計算器８０３は、上記擬似電力制御ビット値の絶対値を取って第３の累積器８０６へ伝送する。すると、第３の絶対値累積器８０６は、１つのフレームの間に上記擬似電力制御ビット値の絶対値を累積してメトリック生成器８０７へ伝送する。
【００９０】
メトリック生成器８０７は、下記７種類の方式のうちの１つを用いてメトリックを生成することができる。すなわち、メトリック生成器８０７は、上記擬似電力制御ビットの累積値、上記擬似電力制御ビットの絶対値、又は上記データシンボルの絶対値を用いてメトリックを生成することができる。
まず、メトリック生成器８０７は、下記式（７）に従ってメトリックを生成することができる。
【００９１】
【数８】
2005348412.tif 000010
【００９２】
式（７）において、ＰＣＢは、擬似電力制御ビットを意味し、ｒ[ｎ]は、デパンクチャーリング器８０１でデパンクチャーリングされて第２の累積器８０５によって累積される。第２の累積器８０５のみを用いる場合には、式（７）を使用することができる。すなわち、デパンクチャーリング器８０１がデパンクチャーリング過程を遂行する場合に、１つのフレーム内の自身のロングコードマスク値を用いて上記擬似電力制御ビット値を出力する。従って、上記フレームが上記移動端末機で受信されると、上記擬似電力制御ビットの値を累積する場合に、非常に大きい値を有する。しかしながら、上記フレームが移動端末機で受信されないと、上記擬似電力制御ビットの累積値は、非常に小さい値又は雑音に類似した程度の値を有する。また、上記フレームが制御情報を有しない場合、雑音成分のみを累積するので、上記擬似電力制御ビットの累積値は、非常に小さい値を有する。従って、メトリック計算器８０７は、式（７）に従ってメトリックを出力することができる。
【００９３】
二番目に、メトリック生成器８０７は、下記式（８）に従ってメトリックを生成することができる。
【００９４】
【数９】
2005348412.tif 000011
【００９５】
式（８）において、ＰＣＢは、擬似電力制御ビットを意味し、ｒ[ｎ]は、デパンクチャーリング器８０１でデパンクチャーリングされて第２の累積器８０５によって累積された値である。また、
【数１０】
2005348412.tif 000012
は、デパンクチャーリング器８０１でデパンクチャーリングされ、第１の絶対値計算器８０２によって計算された後、第１の累積器８０４によって累積された値である。すなわち、式（８）の分母は、第１の絶対値計算器８０２を使用してｒ[ｎ]の絶対値を取って、ｎがＰＣＢではない場合には、第１の累積器８０４を使用してｒ[ｎ]の絶対値を累積することによって求められる。
【００９６】
上記メトリックが式（８）に従って生成されると、式（７）で発生することができるエラーを補正することができる。具体的に、移動端末機が基地局から順方向専用制御チャンネル（Ｆ−ＤＣＣＨ）を受信する場合に、基地局と移動端末機との間の距離は、それぞれ異なることができる。すなわち、移動端末機の位置は、継続して変更されることができる。従って、セル内の移動端末機の位置に基づいて受信電力の絶対値が変更されることができる。このようにして、１つのフレームの間にセル内の同一の位置でのデータ部分及びＰＣＢ部分を受信することができると仮定する。従って、上記データ部分と上記ＰＣＢ部分との間の累積値の比を使用して移動端末機の位置に従う変動事項を補正することができる。また、各フレームは、該当移動端末機を目標にして電力制御されるフレームであるので、そのフレーム電力が著しく変動することができる。これは、各フレーム単位にフェージングチャンネル効果を発生させる。上記メトリックが式（８）によって求められると、各フレーム単位のフェージングチャンネル効果に対する補正が可能である。また、各フレーム単位のスロー（slow）フェージングチャンネル効果に対する補正が可能であるので、上述したチャンネル変化に適応的に対応することができる。
【００９７】
三番目に、メトリック生成器８０７は、下記式（９）に従ってメトリックを生成することができる。
【００９８】
【数１１】
2005348412.tif 000013
式（９）で使用されるパラメータは、式（７）及び式（８）で定義したものと同一であり、α値は、上述した第１の実施形態とは異なる値であり、実験によって求められる定数である。また、式（９）は、上記式（８）と類似して、式（７）で発生することができるエラーを補正する。
【００９９】
四番目に、メトリック生成器８０７は、下記式（１０）に従ってメトリックを生成することができる。
【０１００】
【数１２】
2005348412.tif 000014
【０１０１】
式（１０）で使用されるパラメータは、上述した式（７）乃至式（９）で定義したものと同一である。式（１０）によると、上記メトリックは、上記ＰＣＢの累積された絶対値と上記ＰＣＢの累積値との比を計算して求められる。従って、式（１０）の分子は、１つのフレームの間に第２の累積器８０５を使用してＰＣＢの値を累積して求められ、式（１０）の分母は、第２の絶対値計算器８０３を使用してＰＣＢの絶対値を取った後、１つのフレームの間に第３の累積器８０６を使用してＰＣＢの絶対値を累積して求められる。式（１０）は、上記ＰＣＢの累積された絶対値が上記累積されたデータ値の代わりに使用されるものを除外しては、式（８）と類似している。
【０１０２】
五番目に、メトリック生成器８０７は、下記式（１１）に従ってメトリックを生成することができる。
【０１０３】
【数１３】
2005348412.tif 000015
【０１０４】
式（１１）で使用されるパラメータは、多様な実験によって求められる定数であるβを除外しては、上述した式（７）乃至式（１０）で定義したものと同一である。式（１１）によると、上記メトリックは、βと乗じられた上記ＰＣＢの累積された絶対値を上記ＰＣＢの累積値から減算して求められる。従って、式（１１）の前項は、１つのフレームの間に第２の累積器８０５によって累積された値を意味し、式（１１）の次項は、第２の絶対値計算器８０３を使用して上記ＰＣＢの絶対値を取った後、１つのフレームの間に第３の累積器８０６を使用して上記ＰＣＢの絶対値を累積し、上記ＰＣＢの絶対値に定数βを乗じて求められた値を意味する。従って、式（１１）は、上記ＰＣＢの累積された絶対値が上記累積されたデータ値の代わりに使用されるものを除外しては、式（９）と類似している。
六番目に、メトリック生成器８０７は、下記式（１２）に従ってメトリックを生成することができる。
【０１０５】
【数１４】
2005348412.tif 000016
【０１０６】
式（１２）で使用されたパラメータは、データ及びＰＣＢをすべて意味するフレームを除外しては、上述した式（７）乃至式（１１）で定義したものと同一である。式（１２）によると、上記メトリックは、フレームの累積された絶対値と上記ＰＣＢの累積値の比を計算して求められる。従って、式（１２）の分子は、１つのフレームの間に第２の累積器８０５を使用してＰＣＢの値を累積して求められ、式（１２）の分母は、第１の絶対値計算器８０２及び第１の累積器８０４を使用して１つのフレームの間に累積されたデータ値と第２の絶対値計算器８０３及び第３の累積器８０６を使用して１つのフレームの間に累積されたＰＣＢ値との和を意味する。
【０１０７】
七番目に、メトリック生成器８０７は、下記式（１３）に従ってメトリックを生成することができる。
【０１０８】
【数１５】
2005348412.tif 000017
【０１０９】
式（１３）で使用されたパラメータは、データ及びＰＣＢをすべて意味するフレームと多様な実験によって求められた定数であるγを除外しては、上述した式（７）乃至式（１２）で定義したものと同一である。従って、式（１３）の前項は、１つのフレームの間に第２の累積器８０５によって累積された値を意味し、式（１３）の次項は、第１の絶対値計算器８０２及び第１の累積器８０４を使用して１つのフレームの間に累積されたデータ値と第２の絶対値計算器８０３及び第３の累積器８０６を使用して１つのフレームの間に累積されたＰＣＢ値との和を意味し、これは、定数γを乗じた値である。
【０１１０】
メトリック生成器８０７は、上述した７種類の方法のうちの１つを使用してメトリックを生成することができる。上記メトリックが計算されると、メトリック値は、比較器８０８へ入力される。上記メトリック値を受信すると、比較器８０８は、上述した式に従って、上記メトリック値を所定のしきい値と比較する。
【０１１１】
電力制御ビットに伝送されたダミーシンボルは、正の実数（例；＋１）を有すると仮定すると、上記メトリック値が所定のしきい値より大きい場合には、復号された信号を有効であると判断し、上記メトリック値が所定のしきい値より小さい場合には、復号された信号を無効であると判断する。上記電力制御ビットに伝送されたダミーシンボルが負の実数（例；−１）を有すると仮定すると、上記メトリック値が所定のしきい値より小さい場合には、復号された信号を有効であると判断し、上記メトリック値が所定のしきい値より大きい場合には、復号された信号を無効であると判断する。上記電力制御ビットへ伝送されたダミーシンボルが一定な複数の値を有する場合、上記ＰＣＢ部分の累積値の絶対値を所定のしきい値と比較する。このとき、上記絶対値が所定のしきい値より大きい場合には、復号された信号を有効であると判断し、上記絶対値が所定のしきい値より小さい場合には、復号された信号を無効であると判断する。すなわち、上記７種類のメトリックは、式（１４）乃至式（２０）に示すような下記７種類のメトリックと置き換えられることができる。下記式（１４）乃至式（２０）は、上述した式（７）乃至式（１３）にそれぞれ対応する。
【０１１２】
【数１６】
2005348412.tif 000018
【０１１３】
【数１７】
2005348412.tif 000019
【０１１４】
【数１８】
2005348412.tif 000020
【０１１５】
【数１９】
2005348412.tif 000021
【０１１６】
【数２０】
2005348412.tif 000022
【０１１７】
【数２１】
2005348412.tif 000023
【０１１８】
【数２２】
2005348412.tif 000024
【０１１９】
また、上記メトリックでの絶対値は、絶対値の自乗にも変更可能である。この場合、上記絶対値の自乗に対する所定のしきい値を適切に設定する。ビタビ復号器でパスメトリックを使用してユークリッド距離又はユークリッド距離の自乗を計算する場合は、最小のパスメトリックを有するコードワードを出力するので、上記メトリックを所定のしきい値と比較するとき、上記復号された信号の有効状態が上記復号された信号の無効状態と置き換えられる。
【０１２０】
比較器８０８は、比較の結果をフレーム品質ビット生成器８１１に出力する。フレーム品質ビット生成器８１１は、ＣＲＣ検査器２４０の検査結果が上記復号された信号が有効であることを示す場合にのみ比較器８０８から出力された比較結果を検査する。従って、ＣＲＣ検査器２４０からフレーム品質ビット生成器８１１へ入力された値及び比較器８０８からの値が有効な場合にのみ、フレーム品質ビット生成器８１１は、有効（valid）フレームであることを知らせるフレーム品質通知ビットを生成することができる。一方、フレーム品質ビット生成器８１１は、無効フレームであることを知らせるフレーム品質通知ビットを生成することができる。
【０１２１】
図１２は、本発明の第２の実施形態による移動通信システムにおけるフレームを検出する手順を示すフローチャートである。以下、図１１及び図１２を参照して、本発明の第２の実施形態によるフレームを検出する手順について詳細に説明する。
【０１２２】
フレーム品質ビット生成器８１１は、ステップ９００で、復号器の出力からＣＲＣビットを検査する。上記ＣＲＣ検査は、デパンクチャーリング器８０１及びＣＲＣ検査器２４０を通して遂行されることができる。すなわち、ＣＲＣ検査器２４０は、ＣＲＣ検査を遂行し、その結果値を出力する。このように、フレーム品質ビット生成器８１１は、ステップ９０２で、上記ＣＲＣが良好であるか有効であるか（Good or valid）を検査する。上記検査の結果、ＣＲＣが良好な場合、ステップ９０４に進行する。一方、ステップ９１２では、復号器の出力が無効なものと判断される。
【０１２３】
ステップ９０４で、フレーム品質ビット生成器８１１は、ＴＤＭフレーム区間の間に、データ部分又は擬似電力制御ビット部分の必要な部分の累積値を計算する。すなわち、第１及び第２の絶対値計算器８０２、８０３及び第１乃至第３の累積器８０４、８０５、８０６によって必要な部分の累積値を計算する。実際に、第１及び第２の絶対値計算器８０２、８０３及び第１乃至第３の累積器８０４、８０５、８０６がハードウェアで構成されると、ＣＲＣ検査器２４０の出力及び比較器８０８の出力が同時に発生する。しかしながら、図１２に示すフローチャートは、説明の便宜のために、ＣＲＣ検査ステップの後に位置する比較器の出力を示す。
【０１２４】
式（７）乃至式（１３）に基づいて、必要な部分が変更されることができる。このように、必要な部分の計算が完了されると、それぞれ計算された値は、メトリック生成器８０７に入力される。メトリック生成器８０７にそれぞれ計算された値が入力されると、メトリック生成器８０７は、累積された値を用いて、上述した式（７）乃至式（１３）のうちの１つによって上記メトリックを計算し、ステップ９０６で、比較器８０８は、上記メトリック値を所定のしきい値と比較する。上記比較の結果がフレームの有効状態を示すと、比較器８０８は、フレームの有効を知らせる信号を生成する。一方、ステップ９１２で、フレーム品質ビット生成器８１１は、フレームの無効を知らせる信号を生成する。
【０１２５】
このように、フレーム品質ビット生成器８１１は、ステップ９０８で、比較の結果がフレームの有効状態を示すか否かを検査する。すなわち、フレーム品質ビット生成器８１１は、比較器８０８からフレームの有効を知らせる信号が受信されたか否かを検査する。上記検査の結果、ステップ９０８で、フレームが有効であると判断されると、ステップ９１０で、フレーム品質ビット生成器８１１は、フレームの有効状態を知らせるフレーム品質ビット（ＦＱＢ；Frame Quality Bit）を出力し、そうでない場合、フレーム品質ビット生成器８１１は、ステップ９１２で、フレームの無効状態を知らせるフレーム品質ビットを出力する。
【０１２６】
従って、本発明の実施形態は、上述した手順を遂行することによって、順方向専用制御チャンネルを介して伝送されたＴＤＭフレームの有効状態及び無効状態を正確に判断することができる。以下、本発明の実施形態は、シミュレーション結果を用いて説明される。
【０１２７】
図１３は、本発明に従う式（７）に基づいて得られた性能実験の結果を示すグラフである。
【０１２８】
図１３では、上記メトリックが式（７）に基づいて得られる場合に多様な環境でのＰＤＦ（Probability Density Function）を示す。移動端末機に制御信号が伝送された場合及び制御信号が伝送されない場合、そして、他の移動端末機に制御信号が伝送される場合という条件下で上記ＰＤＦを実験した。また、他の移動端末機に制御信号が伝送される場合にも幾通りかの場合の電力に対して実験を遂行した。さらに詳細に説明すると、自身の移動端末機に制御信号が伝送された場合は、１％のフレームエラー率（ＦＥＲ；frame error rate）を満足するＥｃ／Ｉｏｒ値を適用し、他の移動端末機に制御信号が伝送された場合は、Ｅｃ／Ｉｏｒ値（例えば、−１２ｄＢ、−１８ｄＢ、及び−２４ｄＢ）を多様に変更しつつＰＤＦ検査を遂行する。また、セル内の移動端末機の位置に従うＰＤＦ変化を表すために、移動端末機の位置値（例えば、０ｄＢ及び−８ｄＢ）を変更しつつＰＤＦ検査を遂行する。
【０１２９】
図１３を参照すると、制御信号が移動端末機へ伝送される場合に、上記フレームは、曲線（Ａ）及び（Ｆ）を有し、制御信号が伝送されない場合に、上記フレームは、曲線（Ｂ）及び（Ｇ）を有する。制御信号が他の移動端末機へ伝送される場合に、上記フレームは、曲線（Ｃ）、（Ｄ）、（Ｅ）、（Ｈ）、（Ｉ）及び（Ｊ）を有する。図１３に示すグラフは、上述した式（７）に基づいて得られる。すなわち、図１３に示すグラフは、フレーム内のＰＣＢ部分を累積した値を使用して得られる。図１３を参照すると、大部分の場合、ＰＤＦが区分されることができることを分かる。しかしながら、他の移動端末機へ伝送されるフレームが大きな電力を有する場合には、誤ったＴＤＭ検出が発生することができる。また、セル内の移動端末機の位置に従って多様なしきい値を適用しなければならない。
【０１３０】
図１４は、本発明の式（８）に基づいて得られた性能実験の結果を示すグラフである。
【０１３１】
図１４では、上記メトリックが式（８）に基づいて得られる場合に多様な環境でのＰＤＦ（Probability Density Function）を示す。上記性能実験は、図１３と同一の条件下で遂行される。
【０１３２】
図１４を参照すると、上記制御信号が移動端末機へ伝送される場合に、上記フレームは、曲線（Ａ）及び（Ｆ）を有し、上記制御信号が移動端末機へ伝送されない場合に、上記フレームは、曲線（Ｂ）及び（Ｇ）を有し、上記制御信号が他の移動端末機へ伝送される場合に、上記フレームは、曲線（Ｃ）、（Ｄ）、（Ｅ）、（Ｈ）、（Ｉ）及び（Ｊ）を有する。図１４に示すグラフは、上述した式（８）に基づいて得られる。すなわち、図１４に示すグラフは、式（７）の値を１つのフレーム内のデータ部分の累積値に割ることによって得られる。図１４を参照すると、大部分の場合、ＰＤＦが区分されることができることを分かる。すなわち、擬似電力制御ビット部分の累積値が大きい場合、データ部分の累積値も大きくなる。従って、上記メトリックが式（７）の値対上記データ部分の累積値の比に基づいて得られる場合、他の移動端末機へ伝送された制御信号を有するフレームは、制御信号を有しないフレームよりもほぼ同一の分布を有する。また、セル内の移動端末機の位置に関係無しで、固定されたしきい値を適用することができる。
【０１３３】
図１５は、本発明の式（９）に基づいて得られた性能実験の結果を示すグラフである。
【０１３４】
図１５は、上記メトリックが式（９）に基づいて得られる場合に、多様な環境下でのＰＤＦを示す。図１５は、図１３及び図１４と同一の条件を用いて性能を比較した結果である。
【０１３５】
図１５を参照すると、上記制御信号が移動端末機へ伝送された場合に、上記フレームは、曲線（Ａ）及び（Ｆ）を有する。また、上記制御信号が移動端末機へ伝送されない場合に、上記フレームは、曲線（Ｂ）及び（Ｇ）を有する。上記制御信号が他の移動端末機へ伝送された場合、上記フレームは、曲線（Ｃ）、（Ｄ）、（Ｅ）、（Ｈ）、（Ｉ）及び（Ｊ）を有する。図１５に示すグラフは、式（９）に基づいて得られる。すなわち、図１５に示すグラフは、上記データ部分の累積値をスケーリングした後、式（７）の値から１つのフレーム内のデータ部分の累積値を減算して得られる。ここで、スケーリングとは、多様な実験によって計算された定数が乗じられた上記データ部分の累積値を意味する。図１５で使用されたスケーリング定数は、０．００５である。
【０１３６】
図１５でも大部分の場合にＰＤＦが区分されることができることを分かる。すなわち、擬似電力制御ビット部分の累積値が大きい場合、データ部分の累積値も大きくなる。従って、上記メトリックが上記データ部分の累積値と式（７）の値との差異値に基づいて得られると、他の移動端末機へ伝送された上記制御信号を有するフレームは、制御信号を有しないフレームよりも容易に区分されることができる。また、セル内の移動端末機の位置に関係無しで、固定されたしきい値を使用することができる。
【０１３７】
式（１０）乃至式（１３）に従う性能についてのシミュレーション結果は示さない。しかしながら、式（１０）乃至式（１４）は、式（７）乃至式（９）と類似したメトリックを使用するので、図１４及び図１５に示す性能と類似した性能を示す。
【０１３８】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【０１３９】
【図１】従来の移動通信システムにおける送信端及び受信端の構成を示すブロック図である。
【図２】従来の移動通信システムにおけるＴＤＭ方式を使用して制御情報が伝送される制御チャンネルを示す概略図である。
【図３Ａ】移動通信システムにおけるＴＤＭフレームの受信電力に基づいてフレームの受信エラーがあるか否かを判定する従来の方式を示すグラフである。
【図３Ｂ】移動通信システムにおけるＴＤＭフレームの経路距離に基づいてフレームの受信エラーがあるか否かを判定する従来の方式を示すグラフである。
【図４】移動通信システムにおける従来の電力制御方法に従うＴＤＭフレームの受信電力の変動を示す図である。
【図５】本発明の第１の実施形態による移動通信システムのＴＤＭフレーム検出装置の内部構成を示すブロック図である。
【図６】本発明の第１の実施形態による図５に示した受信電力測定器の内部構成を示すブロック図である。
【図７】本発明の第１の実施形態による移動通信システムのＴＤＭフレームを検出する手順を示すフローチャートである。
【図８】従来のＴＤＭフレーム検出方法の性能実験結果を示すグラフである。
【図９】本発明の第１の実施形態によるＴＤＭフレーム検出方法の性能実験結果を示すグラフである。
【図１０】本発明の第１の実施形態によるＴＤＭフレーム検出方法の性能実験結果を示すグラフである。
【図１１】本発明の第２の実施形態による移動端末機におけるＤＣＣＨ受信器の内部構成を示すブロック図である。
【図１２】本発明の第２実施形態による移動通信システムにおけるフレームを検出する手順を示すフローチャートである。
【図１３】本発明の実施形態による本発明の式（７）を使用した場合の性能実験結果を示すグラフである。
【図１４】本発明の実施形態による本発明の式（８）を使用した場合の性能実験結果を示すグラフである。
【図１５】本発明の実施形態による本発明の式（９）を使用した場合の性能実験結果を示すグラフである。
【符号の説明】
【０１４０】
２３０  チャンネル復号器
２４０  ＣＲＣ検査器
５３０  受信電力測定器
５４０  経路距離推定器
５５０  比較器
５６０  フレーム品質ビット生成器
８０１  デパンクチャーリング器
８０７  メトリック計算器
【図１】
2005348412.tif 000041
【図２】
2005348412.tif 000042
【図３Ａ】
2005348412.tif 000043
【図３Ｂ】
2005348412.tif 000044
【図４】
2005348412.tif 000045
【図５】
2005348412.tif 000046
【図６】
2005348412.tif 000047
【図７】
2005348412.tif 000048
【図８】
2005348412.tif 000049
【図９】
2005348412.tif 000050
【図１０】
2005348412.tif 000051
【図１１】
2005348412.tif 000052
【図１２】
2005348412.tif 000053
【図１３】
2005348412.tif 000054
【図１４】
2005348412.tif 000055
【図１５】
2005348412.tif 000056
【外国語明細書】
2005348412.tif 000057
2005348412.tif 000058
2005348412.tif 000059
2005348412.tif 000060
2005348412.tif 000061
2005348412.tif 000062
2005348412.tif 000063
2005348412.tif 000064
2005348412.tif 000065
2005348412.tif 000066
2005348412.tif 000067
2005348412.tif 000068
2005348412.tif 000069
2005348412.tif 000070
2005348412.tif 000071
2005348412.tif 000072
2005348412.tif 000073
2005348412.tif 000074
2005348412.tif 000075
2005348412.tif 000076
2005348412.tif 000077
2005348412.tif 000078
2005348412.tif 000079
2005348412.tif 000080
2005348412.tif 000081
2005348412.tif 000082
2005348412.tif 000083
2005348412.tif 000084
2005348412.tif 000085
2005348412.tif 000086
2005348412.tif 000087
2005348412.tif 000088
2005348412.tif 000089
2005348412.tif 000090
2005348412.tif 000091
2005348412.tif 000092
2005348412.tif 000093
2005348412.tif 000094
2005348412.tif 000095
2005348412.tif 000096
2005348412.tif 000097
2005348412.tif 000098
2005348412.tif 000099
2005348412.tif 000100
2005348412.tif 000101
2005348412.tif 000102
2005348412.tif 000103
2005348412.tif 000104
2005348412.tif 000105